(57)【特許請求の範囲】
【請求項１】
無線通信装置と無線通信ネットワークとの間の通信喪失の後、無線通信ネットワークにおいて、無線通信装置との通信を再確立する方法であって、
該無線通信装置と該無線通信ネットワークとの間の該通信喪失を示す情報を受信する動作と、
該通信喪失を示す情報を受信したことに基づいて、該無線通信ネットワーク内の利用不可能な無線通信装置のリストに該無線通信装置の識別子を追加する動作と、
該無線通信ネットワーク内の該リストの識別子がブロードキャストされるようにする動作と、
該無線通信装置が該無線通信ネットワークとの通信を回復した後、該無線通信装置から制御メッセージを受信する動作と
を包含し、
該制御メッセージは、ブロードキャストされた該識別子のうち該無線通信装置によって受信された１つの識別子と、該無線通信装置の識別子とが一致したことに基づいて送信され、該制御メッセージは、該無線通信装置が存在することを該無線通信ネットワークに通知するメッセージである、方法。
【請求項２】
前記制御メッセージを受信したことに基づいて、前記リストから前記無線通信装置の識別子を除去する動作を更に包含する、請求項１に記載の方法。
【請求項３】
前記リストの前記識別子がブロードキャストされるようにする動作が、該リストの該識別子が定期的にブロードキャストされるようにする動作を更に含む、請求項１に記載の方法。
【請求項４】
前記リストの前記識別子がブロードキャストされるようにする動作が、前記無線通信ネットワークの制御通信路を介して該リストの該識別子がブロードキャストされるようにする動作を更に含む、請求項１に記載の方法。
【請求項５】
ある期間の満了後に、前記リストから前記無線通信装置の識別子を除去する動作を更に包含する、請求項１に記載の方法。
【請求項６】
前記無線通信装置において、
前記通信喪失の後、前記無線通信ネットワークから信号を受信する動作と、
該無線通信ネットワークからの前記リストのブロードキャストされた識別子を復号する動作と、
ブロードキャストされた各識別子と該無線通信装置の識別子とを比較する動作と、
ブロードキャストされた識別子と該無線通信装置の識別子とが一致したことに基づいて、該無線通信装置が存在することを該無線通信ネットワークに通知する制御メッセージを送信する動作と
を更に包含する、請求項１に記載の方法。
【請求項７】
前記無線通信ネットワークは、セルラ電気通信ネットワークを含む、請求項１に記載の方法。
【請求項８】
無線通信装置と無線通信ネットワークとの間の通信喪失の後、該無線通信装置によって、該無線通信ネットワークとの通信を再確立する方法であって、
該通信喪失から通信を回復した後、該無線通信ネットワークから信号を受信し、該無線通信ネットワーク内の利用不可能な無線通信装置のリストのブロードキャストされた識別子を復号する動作と、
ブロードキャストされた各識別子と該無線通信装置の識別子とを比較する動作と、
ブロードキャストされた識別子と該無線通信装置の識別子とが一致したことに基づいて、該無線通信装置が存在することを該無線通信ネットワークに通知する制御メッセージを送信する動作と
を包含する、方法。
【請求項９】
前記ブロードキャストされた識別子と前記無線通信装置の識別子とが一致しない場合には、前記制御メッセージを前記無線通信ネットワークに送信することを控える動作を更に包含する、請求項８に記載の方法。
【請求項１０】
前記ブロードキャストされた識別子を復号する動作が、前記無線通信ネットワークの制御通信路を介して該ブロードキャストされた識別子を復号する動作を更に包含する、請求項８に記載の方法。
【請求項１１】
前記ブロードキャストされた識別子が、識別番号およびＩＰアドレスのうちの１つを含む、請求項８に記載の方法。
【請求項１２】
前記無線通信装置がセルラ移動局を含む、請求項８に記載の方法。
【請求項１３】
無線通信装置と無線通信ネットワークとの間の通信喪失の後、該無線通信ネットワークとの通信を再確立するように構成された無線通信装置であって、
該無線通信装置は、
受信機と、
送信機と、
該受信機および該送信機に結合されたアンテナと、
該受信機および該送信機に結合された１つ以上のプロセッサと
を備え、
該受信機および該１つ以上のプロセッサが、該無線通信ネットワークとの通信を回復した後に、信号を受信し、該無線通信ネットワーク内の利用不可能な無線通信装置のブロードキャストされた識別子を復号するように構成されており、
該１つ以上のプロセッサが、ブロードキャストされた各識別子と該無線通信装置の識別子とを比較するように更に構成されており、
該１つ以上のプロセッサが、ブロードキャストされた識別子と該無線通信装置の識別子とが一致したことに基づいて、該無線通信装置が存在することを該無線通信ネットワークに通知する制御メッセージが該送信機を介して送信されるように更に構成されている、無線通信装置。
【請求項１４】
前記ブロードキャストされた識別子と前記無線通信装置の識別子とが一致しない場合には、１つ以上のプロセッサが、制御メッセージを前記無線通信ネットワークに送信することを控えるように更に構成されている、請求項１３に記載の無線通信装置。
【請求項１５】
セルラ移動局を更に備える、請求項１３に記載の無線通信装置。
【請求項１６】
１つ以上のプロセッサが、前記無線通信ネットワークの制御通信路を介してブロードキャストされた識別子を復号するように更に構成されている、請求項１３に記載の無線通信装置。
【請求項１７】
前記ブロードキャストされた識別子が、識別番号およびＩＰアドレスのうちの１つを含む、請求項１３に記載の無線通信装置。
【請求項１８】
セルラ・ネットワーク・インフラストラクチャと１つ以上のセルラ移動局との間の通信喪失の後、該セルラ・ネットワーク・インフラストラクチャと該１つ以上のセルラ移動局との間の通信を再確立するように構成されたセルラ電気通信システムであって、
該セルラ・ネットワーク・インフラストラクチャが、該１つ以上のセルラ移動局との通信喪失を示す情報を受信するように構成されており、
該セルラ・ネットワーク・インフラストラクチャが、該通信喪失に関連づけられた１つ以上のセルラ移動局の識別子をリストに追加するように更に構成されており、
該セルラ・ネットワーク・インフラストラクチャが、該リスト内の識別子が該セルラ・ネットワーク・インフラストラクチャを介して定期的にブロードキャストされるように更に構成されており、
各セルラ移動局が、該通信喪失から通信を回復した後に、信号を受信し、該セルラ・ネットワーク・インフラストラクチャから、ブロードキャストされた識別子を復号するように構成されており、
各セルラ移動局が、ブロードキャストされた各識別子と該セルラ移動局の識別子とを比較するように更に構成されており、
各セルラ移動局が、ブロードキャストされた識別子と該セルラ移動局の識別子とが一致したことに基づいて、該セルラ移動局が存在することを該セルラ・ネットワーク・インフラストラクチャに通知する制御メッセージが送信されるように更に構成されている、セルラ電気通信システム。
【請求項１９】
各セルラ移動局が、ブロードキャストされた識別子と前記セルラ移動局の識別子とが一致しない場合には、制御メッセージを前記セルラ・ネットワーク・インフラストラクチャに送信することを控えるように更に構成されている、請求項１８に記載のセルラ電気通信システム。
【発明の詳細な説明】
【技術分野】
【０００１】
本発明は、一般的には、無線通信装置のデータ通信に関し、更に具体的には、無線通信ネットワークにおける通信喪失の後、無線通信装置の通信を再確立する方法および装置に関する。
【背景技術】
【０００２】
（関連技術の説明）
無線通信装置は、無線通信ネットワーク、たとえば無線パケット交換網の貧弱なカバレージエリア内で動作しているとき、散発的時間間隔の間にトラフィックを送信および受信できるだけである。これは、パケット交換データ・トランザクションの通常の概念を崩壊させる。通常のアプローチ、たとえばバックオフアルゴリズムを使用して単純に送信を再試行することは、特にネットワークから無線装置への通信方向で無線リソースの集中的使用または貧弱な信頼性を生じる。
【０００３】
多くの知られた無線ネットワークは、大部分のインターネット・トランザクションで典型的に使用されるように、無線装置がサーバからデータを問い合わせするという概念を利用する。これは、たとえば、ウェブ・ページを要求すること、およびｅメール・サーバがｅメール・プログラムによって新しいｅメールを定期的にポーリングすることを含む。この通常の「プル」アプローチにおいて、典型的なトラフィック・パターンは、無線装置がネットワークへ送信し、続いてネットワークが無線装置へ応答を送信することである。ネットワークが無線装置へ送信しているとき、リンクの品質が確立されてから短い時間の後、ネットワークは常に送信している。もしトランザクションが貧弱なカバレージに起因して失敗すれば、無線装置またはユーザは、カバレージの改善を待ち、その後で問い合わせを再試行する。しかし、そのような通信問題の後で、トランザクションを再試行する責任は無線装置にある。
【０００４】
代替の通信スキームは、「プッシュ」手順を使用する。「プッシュ」とは、データがネットワークから無線装置へ押し出されることを意味する。新しいデータ（たとえば、ｅメール・メッセージ）を定期的にポーリングする通常のインターネット概念は望ましくない。なぜなら、それは無線装置アプリケーションにとって、あまりにも無線リソースの集中使用と考えられるからである。代替方法として、プッシュは、トラフィックの交換がネットワーク側からイニシエートされることを要求する。多くのパケット交換無線ネットワークは、ネットワークからイニシエートされるトラフィックを提供することができる。
【０００５】
１つの知られたプッシュ・アプローチにおいて、ネットワークは、パケットを直接送るか、無線装置をページングすることによって、無線装置とのコンタクトを何回か試みるであろう。このアプローチは、少数回の再試行では良好に働くが、もし非常に多数の装置が係属トラフィックを有すれば、装置とコンタクトするネットワークの能力は、有用なトラフィックを交換することなく急速に枯渇するであろう。無線装置とのコンタクトを試みて無線リソースを浪費することを制限するため、典型的なネットワークは、制限された回数だけ無線装置とのコンタクトを試み、その後で、無線装置がネットワークへ再び知らせるまで試みを停止する。したがって、無線装置は、カバレージの外にあった期間の後でカバレージを再獲得したことをネットワークへ表示することができる。そのような表示は、ネットワークが無線装置とのコンタクトの試みを前に停止した場合でも、ネットワークが無線装置へ再び送信できることをネットワークに通知する。このアプローチに伴う基本的問題は、無線装置によって送信された通信信号をネットワークが受信できるかどうかをテストすることなしには、無線装置はそのカバレージが実際に十分であるかどうかを知ることができないことである。しかし、ネットワークが無線装置からの通信信号をどの程度良好に受信するかのテストは、ネットワークへパケットを実際に送信することによってのみ、信頼性をもって決定することができる。これは無線リソースを使用し、したがって頻繁には行われない。
【０００６】
幾つかのネットワーク、たとえば一般パケット無線サービス（ＧＰＲＳ）ベースのネットワークは、無線装置がネットワーク上で実際に利用可能であることをネットワークへ定期的に表示することを無線装置に強制する。しかし、再び、これは無線リソースを使用し、したがって比較的長い時間間隔、典型的には１時間のオーダーで実行される。この定期的伝送は、ネットワークおよび無線装置のカバレージ見解を同期して取得させるが、ネットワークへのこれらの定期的伝送の間では、ネットワークのカバレージ見解が無線装置の見解と非常に異なるかも知れない。
【０００７】
更に、音声および／またはデータ・サービスを無線装置へ提供する１つまたは複数のアプリケーション・サーバ（たとえばｅメール・サーバ）の使用に関連した問題が生じる。一例として、無線装置と無線ネットワークとの間の通信喪失の後（たとえば、カバレージ外の状況）、アプリケーション・サーバは無線装置との接続を喪失するであろう。一度、無線装置が十分な信号カバレージを再獲得したとき、もしデータ接続が自動的に再確立されなければ、無線装置は、アプリケーション・サーバから継続サービスを十分受け取れないかも知れない。しかし、もしアプリケーション・サーバが、一度破壊された無線装置との接続を自動的に再確立するように構成されれば、アプリケーション・サーバは、無線装置が依然として利用可能でない間に、無線装置への接続要求でネットワークを望ましくないほどに溢れさせるであろう。
【０００８】
したがって、無線通信ネットワークにおける通信喪失の後、無線通信装置の通信を再確立する改善された方法および装置の必要性が結果として存在する。
【発明の開示】
【課題を解決するための手段】
【０００９】
（要約）
無線装置と無線通信ネットワークとの間の通信喪失の後、無線通信装置のために通信を再確立する幾つかの方法および装置が開示される。
【００１０】
１つの例示的手法において、無線ネットワークは、無線ネットワーク内の通信喪失に関連づけられた無線装置の識別子を、制御通信路を介してブロードキャストする。カバレージを再獲得した後、無線装置は制御通信路をモニタして、各々のブロードキャストされた識別子を復号し、無線装置の識別子と比較する。ブロードキャストされた識別子と無線装置の識別子との間のマッチに基づいて、無線装置は、無線装置の存在を無線ネットワークに通知する制御メッセージを送信する。そうでなければ、無線装置は、通常、制御メッセージを無線ネットワークへ送信することを控える。したがって、無線ネットワークは、不必要なトラフィックで無線リンクへ過度の負担をかけないようにして、無線装置がカバレージの外にあるかどうかを決定し、再確立プロセスを制御することができる。
【００１１】
他の例示的手法において、アプリケーション・サーバと無線装置との間の接続が確立された後の或る時点で、無線装置と無線ネットワークとの間で通信喪失が起こる。一度、無線装置と無線ネットワークとの間で通信が再確立されると、アプリケーション・サーバおよび無線装置の識別子の記憶された関連づけが使用され、無線装置とアプリケーション・サーバとの間で接続を自動的に再確立することを助ける。たとえば、一度、無線装置と無線ネットワークとの間で通信が再確立されると、アプリケーション・サーバの記憶された識別子を使用してアプリケーション・サーバが自動的に接続され、接続が再確立される。
【００１２】
更に他の例示的手法において、無線装置と無線ネットワークとの間の通信喪失の後、アプリケーション・サーバから無線装置への複数の接続要求がネットワーク・サーバで受信される。しかし、アプリケーション・サーバからの接続要求の数またはレートは、通信喪失の間、ネットワーク・サーバによって制限される。接続要求の数またはレートは、たとえばレート制限またはトラフィック・ポリシング手法を使用して制限されてよい。
【００１３】
有利には、無線装置の通信は、ここで説明される方法および装置を使用することによって、無線ネットワークおよび／または無線リンクに過度の負担をかけることなく再確立される。具体的な実施形態の以下の説明を添付の図面と組み合わせて検討したとき、他の様態および特徴が当業者に明らかとなるであろう。
【発明を実施するための最良の形態】
【００１４】
（好ましい実施形態の詳細な説明）
今から、添付の図面を参照して、例としての本発明の実施形態を説明する。
【００１５】
本願において、図１〜図４は、図５〜図１１に関して説明される幾つかの異なった方法および装置の接続に利用される異なったネットワークおよび装置構成の様々な視点および詳細レベルを示す。
【００１６】
更に具体的には、図１は、無線通信ネットワーク１０４で通信する無線通信装置１０２を含む通信システム１００のブロック図である。無線通信装置１０２は、好ましくは、ディスプレイ１１２、キーボード１１４、および多分１つまたは複数の補助ユーザ・インタフェース（ＵＩ）１１６を含む。補助ユーザ・インタフェースの各々はコントローラ１０６へ結合される。コントローラ１０６は、無線モデム１０８およびアンテナ１１０へ結合される。
【００１７】
大部分の現代の通信装置において、コントローラ１０６は、メモリ構成要素（図示されず）の中でオペレーティング・システム・ソフトウェアを実行する中央処理装置（ＣＰＵ）として実現される。コントローラ１０６は、通常、無線装置１０２の全体的動作を制御するが、通信機能に関連した信号処理動作は、典型的には無線モデム１０８で実行される。コントローラ１０６は、装置ディスプレイ１１２とインタフェースして、受信情報、記憶情報、ユーザ入力などを表示する。無線装置１０２に記憶されるデータ、ネットワーク１０４へ送信される情報、電話呼を置くための電話番号、無線装置１０２で実行されるコマンド、および可能性として他のまたは異なったユーザ入力を入力するために、通常、電話型キーパッドまたはフル英数字キーボードであるキーボード１１４が提供される。
【００１８】
無線装置１０２は、アンテナ１１０を介する無線リンク上で、ネットワーク１０４から通信信号を送受信する。無線モデム１０８は、基地局１２０の機能に類似した機能を実行する。それらの機能には、たとえば、変調／復調および可能性として符号化／復号、および暗号化／解読が含まれる。更に、モデム１０８は、基地局１２０によって実行される機能に加えて、或る一定の機能を実行することが想定される。無線モデム１０８は、無線装置１０２の動作が意図される特定の無線ネットワークまたはネットワークへ適合化されることが、当業者に明らかであろう。
【００１９】
無線装置１０２において、無線モデム１０８内の送信機は、典型的には、それがネットワークへ送信するときにのみキーを押されるかオンにされ、そうでなければオフにされてリソースを節約する。送信機のそのような間欠動作は、無線装置１０２の電力消費に大きな効果を有する。無線装置１０２への電力は、通常、限定された電源、たとえば再充電可能バッテリによって提供されるので、装置の設計および動作は、電源充電動作の間のバッテリ寿命または時間を延長するため、電力消費を最小にしなければならない。
【００２０】
上記から明らかであるように、用語「無線装置」は、ここでは無線移動通信装置を指すために使用される。図１の実施形態において、無線装置１０２は移動局である。無線装置１０２は、単一のユニット、たとえば、データ通信装置、携帯電話、データおよび音声通信能力を有する多機能通信装置、無線通信の能力があるパーソナル・ディジタル・アシスタント（ＰＤＡ）、または内蔵モデムを組み込まれたコンピュータから構成されてよい。代替的に、無線装置１０２は、複数の別々の構成要素を含む多モジュールユニットであってよい。多モジュールユニットには、無線モデムへ接続されたコンピュータまたは他の装置が含まれるが、それらに限定されない。具体的には、たとえば、図１の無線装置ブロック図において、モデム１０８およびアンテナ１１０は、ラップトップ・コンピュータ上のポートへ挿入される無線モデム装置として実現されてよい。この場合、ラップトップ・コンピュータは、ディスプレイ１１２、キーボード１１４、１つまたは複数の補助ＵＩ１１６、およびコンピュータのＣＰＵとして実施されたコントローラ１０６を含む。更に、通常は無線通信の能力を有しないコンピュータまたは他の機器が、前述したような単一のユニットの無線モデム１０８およびアンテナ１１０へ接続され、それらを有効に制御するように適合化されてよい。ただ１つの無線装置１０２が図１で示されているが、異なったタイプの装置を含む多くの装置が、任意の時点で無線通信ネットワーク内でアクティブまたは動作可能であってよいことは、本願に関連する当業者に明らかであろう。更に、そのような無線装置１０２は、図４の無線装置４０２に関して後で説明するように、更に具体的な実現形態を有してよい。
【００２１】
無線装置１０２は、無線通信ネットワーク１０４の中で、およびそれを通して通信する。図１の実施形態において、無線ネットワーク１０４は、グローバル移動システム（ＧＳＭ）および一般パケット無線サービス（ＧＰＲＳ）ネットワーク用グローバルシステムである。無線ネットワーク１０４は、関連したアンテナ塔１１８を有する基地局１２０、移動切替センター（ＭＳＣ）１２２、ホーム・ロケーション・レジスタ（ＨＬＲ）１３２、サービング一般パケット無線サービス（ＧＰＲＳ）サポート・ノード（ＳＧＳＮ）１２６、およびゲートウェイＧＰＲＳサポート・ノード（ＧＧＳＮ）１２８を含む。ＭＳＣ１２２は、基地局１２０および陸線ネットワーク、たとえば公衆電話回線網（ＰＳＴＮ）１２４へ結合される。ＳＧＳＮ１２６は、基地局１２０およびＧＧＳＮ１２８へ結合される。ＧＧＳＮ１２８は、公衆または専用データ網１３０（たとえばインターネット）へ結合される。ＨＬＲ１３２は、ＭＳＣ１２２、ＳＧＳＮ１２６、およびＧＧＳＮ１２８へ結合される。
【００２２】
関連したコントローラおよびアンテナ塔１１８を含む基地局１２０は、通常、「セル」と呼ばれる特定のカバレージエリアについて無線ネットワーク・カバレージを提供する。基地局１２０は、そのセル内でアンテナ塔１１８を介して無線装置へ通信信号を送信し、無線装置から通信信号を受信する。基地局１２０は、通常、そのコントローラの制御のもとで、特定の、通常は前もって定められた通信プロトコルおよびパラメータに従って、無線装置へ送信される信号を変調し、また可能性として符号化および／または暗号化する機能を実行する。基地局１２０は、同様に、そのセル内で無線装置１０２から受信した通信信号を復調し、また可能性として復号し、もし必要であれば解読する。通信プロトコルおよびパラメータは、異なったネットワークの間で異なっていてよい。たとえば、１つのネットワークは、他のネットワークとは異なった変調スキームを使用し、異なった周波数で動作してよい。
【００２３】
図１の通信システム１００内に示された無線リンクは、１つまたは複数の異なった通信路、典型的には異なった無線周波（ＲＦ）通信路、および無線ネットワーク１０４と無線装置１０２との間で使用される関連プロトコルを表す。無線周波（ＲＦ）通信路は、典型的には全体的帯域の制限および無線装置１０２の制限されたバッテリ電力に起因して、節約されなければならない制限リソースである。ネットワークは、通常、トラフィックが交換されない場合でも、連続的または間欠的にキーを押されるように構成されるが、無線装置は、典型的には、送るべきトラフィックを有するときにのみキーを押される。従来の「プル」アプローチは、意味のある情報が交換される前に装置からネットワークへ問い合わせしてリソースを集中的に使用し、多くの状況で無線ネットワーク１０４に適していない。
【００２４】
実際に実施される無線ネットワークは何百というセルを含み、各々のセルは、ネットワーク・カバレージの所望される全体的広がりに依存して、別個の基地局１２０およびトランシーバによってサービスされることを、当業者は理解するであろう。全ての基地局コントローラおよび基地局は、多数のネットワーク・コントローラによって制御される多数のスイッチおよびルータ（図示されず）によって接続されてもよい。
【００２５】
ネットワーク・オペレータに登録された全ての無線装置１０２について、永続データ（たとえば、無線装置１０２のユーザのプロフィール）および一時データ（たとえば、無線装置１０２の現在のロケーション）は、ＨＬＲ１３２に記憶される。無線装置１０２への音声呼の場合、ＨＬＲ１３２は、無線装置１０２の現在のロケーションを決定するために問い合わせされる。ＭＳＣ１２２のビジター・ロケーション・レジスタ（ＶＬＲ）は、ロケーション区域のグループについて責任を有し、現在その責任区域内にある無線装置のデータを記憶する。これは、アクセスを速くするためＨＬＲ１３２からＶＬＲへ送信された永続無線装置データ部分を含む。しかしＭＳＣ１２２のＶＬＲは、更に、ローカル・データ、たとえば一時識別データを割り当てて記憶することができる。任意的に、ＧＰＲＳおよび非ＧＰＲＳサービスおよび機能をより効率的に調整するため（たとえば、ＳＧＳＮ１２６によって、より効率的に実行できる回線交換呼のページング、およびＧＰＲＳおよび非ＧＰＲＳを組み合わせたロケーション更新）、ＭＳＣ１２２のＶＬＲを強化することができる。
【００２６】
ＧＰＲＳネットワークの一部分であるサービングＧＰＲＳサポート・ノード（ＳＧＳＮ）１２６は、ＭＳＣ１２２と同じ階層レベルにあり、無線装置の個々のロケーションを追跡する。ＳＧＳＮ１２６は、更に、セキュリティ機能およびアクセス制御を実行する。ゲートウェイＧＰＲＳサポート・ノード（ＧＧＳＮ）１２８は、外部パケット交換網と相互に作用し、ＩＰベースＧＰＲＳバックボーン・ネットワークを介してＳＧＳＮ（たとえばＳＧＳＮ１２６）と接続される。ＳＧＳＮ１２６は、既存のＧＳＭと同じアルゴリズム、鍵、および規準に基づいて認証および暗号設定手順を実行する。従来の動作において、セルの選択は、無線装置１０２によって、または特定のセルを選択するように無線装置１０２に命令する基地局１２０によって、自立的に実行されてよい。無線装置１０２は、ルーティングエリアとして知られる他のセルまたはセル・グループを再選択したとき、無線ネットワーク１０４に通知する。
【００２７】
ＧＰＲＳサービスにアクセスするため、無線装置１０２は、いわゆるＧＰＲＳ「アタッチ」を実行することによって、自分の存在を無線ネットワーク１０４へ知らせる。この動作は、無線装置１０２とＳＧＳＮ１２６との間に論理リンクを確立し、無線装置１０２が、たとえば、ＳＧＳＮを介するページ、到着するＧＰＲＳデータの通知、またはＧＰＲＳを介する短メッセージ・サービス（ＳＭＳ）メッセージを受信できるようにする。ＧＰＲＳデータを送受信するため、無線装置１０２は、使用したいパケット・データ・アドレスの活性化を助ける。この動作は無線装置１０２をＧＧＳＮ１２８へ知らせ、その後で外部データ・ネットワークとの相互作用が開始可能となる。ユーザ・データは、たとえば、カプセル化およびトンネリングを使用して、無線装置１０２と外部データ・ネットワークとの間でトランスペアレントに転送されてよい。データ・パケットは、ＧＰＲＳ特定プロトコル情報を装備され、無線装置１０２とＧＧＳＮ１２８との間を転送される。
【００２８】
前記から明らかであるように、用語「無線ネットワーク」は、情報の無線転送を容易するために使用される一定のネットワーク構成要素を含み、またＲＦトランシーバ、増幅器、基地局コントローラ、ネットワーク・サーバ、ネットワークへ接続されるサーバなどを含むが、含まれるものは、これらに限定されない。当業者は、無線ネットワークが、図１で明示的に示されない他のネットワーク構成要素およびネットワーク（たとえばインターネット）を含む他のシステムおよび構成要素と相互に作用し、それらを含むように構成されてよいことを理解するであろう。１つのネットワーク（または複数のネットワーク）のどの部分が、無線リンクにおける最終的振る舞いのどの特定局面に責任を有するかは、本明細書で明示的に注意する場合を除いて、接続された構成要素が生成する全体的振る舞いほどに重要ではない。
【００２９】
図２は、公衆または専用通信ネットワーク１３０を介して１つまたは複数のアプリケーション・サーバ２０２との間でデータを通信するため動作している無線装置１０２を有する無線ネットワーク１０４の簡単な図である。ネットワーク１３０は、インターネットであるか、それを含んでよく、アプリケーション・サーバ２０２と無線装置１０２との間の情報通信を容易にするサービング・ネットワークを含んでよい。図２では、３つのアプリケーション・サーバ２０２が示される。即ち、アプリケーション・サーバ２０４、２０６、および２０８である。しかし、適切な数のアプリケーション・サーバがネットワークで使用されてよい。アプリケーション・サーバ２０２は、適切な音声および／またはデータ・サービス、特に「プッシュ」ベース・サービスを無線装置１０２に提供することができる。更に具体的には、アプリケーション・サーバ２０２は、電子メール（ｅメール）サービス、無線アプリケーション・プロトコル（ＷＡＰ）サービス、短メッセージング・サービス（ＳＭＳ）サービス、またはアプリケーション特定サービス、たとえば、例を少し挙げると、天気更新サービス、星占いサービス、および株式相場サービスを提供することができる。
【００３０】
図３は、無線通信装置と通信する特定のシステム構造を示す。具体的には、図３は、ＩＰベース無線データ・ネットワーク、たとえばＧＰＲＳネットワークの基本構成要素を示す。無線装置１００は、無線パケット・データ・ネットワーク１４５と通信し、更に、無線音声ネットワーク（図示されず）と通信することができる。音声ネットワークは、たとえばＧＳＭおよびＧＰＲＳネットワークと類似したＩＰベース無線ネットワーク１４５に付随することができ、または代替的に、完全に別個のネットワークであってよい。ＧＰＲＳ  ＩＰベース・データ・ネットワークは、ＧＳＭ音声ネットワーク上の効果的オーバレイである点でユニークである。したがって、ＧＰＲＳ構成要素は、既存のＧＳＭ構成要素、たとえば基地局３２０を拡張するか、追加の構成要素、たとえば先進ゲートウェイＧＰＲＳサービス・ノード（ＧＧＳＮ）をネットワーク・エントリ・ポイント３０５として追加することが必要である。
【００３１】
図３で示されるように、ゲートウェイ１４０は、内部または外部アドレ解決構成要素３３５および１つまたは複数のネットワーク・エントリ・ポイント３０５へ結合されてよい。ゲートウェイ１４０から無線装置１００へ無線ネットワーク・トンネル３２５をセットアップすることによって、データ・パケットは、送信されるべき情報の源であるゲートウェイ１４０からネットワーク１４５を介して無線装置１００へ送信される。この無線トンネル３２５を作り出すため、一意のネットワーク・アドレスが無線装置１００に関連づけられる。しかし、ＩＰベース無線ネットワークにおいて、ネットワーク・アドレスは、典型的には、特定の無線装置１００へ永続的に割り当てられず、必要ベースでダイナミックに割り振られる。したがって、無線装置１００がネットワーク・アドレスを獲得し、ゲートウェイ１４０がこのアドレスを決定して、無線トンネル３２５を確立することが好ましい。
【００３２】
ネットワーク・エントリ・ポイント３０５は、一般的に、多くのゲートウェイ、コーポレート・サーバ、およびバルク接続、たとえばインターネットの間を多重化および非多重化するために使用される。通常、これらのネットワーク・エントリ・ポイント３０５は非常に少ない。なぜなら、それらは、更に、外部的に利用可能な無線ネットワーク・サービスを集中化することを意図されるからである。ネットワーク・エントリ・ポイント３０５は、多くの場合、或る形式のアドレス解決構成要素３３５を使用し、このようなアドレス解決構成要素３３５はゲートウェイと無線装置との間のアドレスの割り当ておよびルックアップを助ける。この例において、アドレス解決構成要素３３５は、アドレス解決メカニズムを提供する１つの例としてのダイナミック・ホスト構成プロトコル（ＤＨＣＰ）として示される。
【００３３】
無線データ・ネットワーク３４５の中央内部構成要素はネットワーク・ルータ３１５である。通常、ネットワーク・ルータ３１５は、特定のネットワークに対して特注されるが、代替的に標準の市販ハードウェアから構成することができる。ネットワーク・ルータ３１５の目的は、比較的大きなネットワークとして実現される何千という基地局３２０を長距離接続の中央ロケーションへ集中化し、ネットワーク・エントリ・ポイント３０５へ戻すことである。幾つかのネットワークでは、ネットワーク・ルータ３１５の多数の段が存在し、またマスタおよびスレイブのネットワーク・ルータ３１５が存在するかも知れないが、そのような場合も全て、機能は類似している。多くの場合、ネットワーク・ルータ３１５はネーム・サーバ３０７、この場合は、インターネットで使用されるようなダイナミック・ネーム・サーバ（ＤＮＳ）３０７にアクセスし、データ・メッセージを回送する行先をルックアップする。基地局３２０は、前述したように、無線装置、たとえば無線装置１００へ無線リンクを提供する。
【００３４】
必要なメモリ、ルーティング、およびアドレスのリソースを割り振ってＩＰパケットを通過させるため、無線ネットワーク・トンネル、たとえば無線トンネル３２５が無線ネットワーク３４５の至る所で開かれる。ＧＰＲＳにおいて、そのようなトンネル３２５は、「ＰＤＰコンテクスト」（即ち、データ・セッション）と呼ばれるものの一部分として確立される。無線トンネル３２５を開くため、無線装置１００は、無線ネットワーク３４５に関連づけられた特定の手法を使用しなければならない。そのような無線トンネル３２５を開くステップは、無線装置１００が無線トンネル３２５を開きたいドメインまたはネットワーク・エントリ・ポイント３０５を、無線装置１００が表示することを必要とするかも知れない。この例において、トンネルは最初にネットワーク・ルータ３１５に達し、ネットワーク・ルータ３１５は、ネーム・サーバ３０７を使用して、どのネットワーク・エントリ・ポイント３０５が、提供されたドメインとマッチするかを決定する。冗長として、またはネットワーク上の異なったゲートウェイおよびサービスにアクセスするため、１つの無線装置１００から多数の無線トンネルを開くことができる。一度、ドメイン名が発見されると、トンネルはネットワーク・エントリ・ポイント３０５へ延長され、経路に沿ったノードの各々で、必要なリソースが割り振られる。次に、ネットワーク・エントリ・ポイント３０５は、アドレス解決（またはＤＨＣＰ３３５）を使用して、無線装置１００のためにＩＰアドレスを割り振る。ＩＰアドレスが無線装置１００へ割り振られ、ゲートウェイ１４０へ通信されたとき、ゲートウェイ１４０から無線装置１００へ情報を転送することができる。
【００３５】
無線トンネル３２５は、典型的には、無線装置１００のカバレージ・プロフィールおよび活動に依存した制限寿命を有する。無線ネットワーク１４５は、この無線トンネル３２５によって保持されたリソースを他のユーザのために再獲得するため、或る非活動期間またはカバレージ外期間の後、無線トンネル３２５を破壊する。その主な理由は、無線トンネル３２５が最初に開かれたとき無線装置１００へ一時的に予約されたＩＰアドレスを取り返すためである。一度、ＩＰアドレスが喪失され、無線トンネル３２５が破壊されると、ゲートウェイ１４０は、伝送制御プロトコル（ＴＣＰ）を介するときであれユーザ・データグラム・プロトコル（ＵＤＰ）を介するときであれ、ＩＰデータ・パケットを無線装置１００へイニシエートする全ての能力を喪失する。
【００３６】
本明細書において、「ＩＰベース無線ネットワーク」（無線通信ネットワークの１つの特定のタイプ）は、（１）クアルコムによって開発および運用される符号分割多元接続（ＣＤＭＡ）ネットワーク、（２）欧州郵便電気通信主管庁会議（ＣＥＰＴ）の標準委員会によって、双方共に開発されたグローバル移動通信システム（ＧＳＭ）ネットワークと組み合わせて使用される一般パケット無線サービス（ＧＰＲＳ）ネットワーク、および（３）将来の第３世代（３Ｇ）ネットワーク、たとえば、ＧＳＭ展開のための向上データレート（ＥＤＧＥ）およびユニバーサル移動通信システム（ＵＭＴＳ）を含むが、含まれるものは、これらに限定されない。ＧＰＲＳは、ＧＳＭ無線ネットワークの最上部のデータ通信オーバレイである。特定のＩＰベース無線ネットワークが説明されたが、本願の通信再確立スキームは、任意の適切なタイプの無線パケット・データ網で利用できることを理解すべきである。
【００３７】
好ましい無線装置。図４は、ここで説明される方法に従って通信を再確立するように構成される好ましい無線通信装置４０２のブロック図である。無線装置４０２は、好ましくは、少なくとも音声およびデータ通信能力を有する両方向通信装置である。この通信能力の中には、インターネット上で他のコンピュータ・システムと通信する能力が含まれる。無線装置４０２によって提供される機能に依存して、それはデータ・メッセージング装置、両方向ページャ、データ・メッセージング能力を有する携帯電話、無線インターネット機器、またはデータ通信装置（電話能力を有するか有しない）を呼ばれてよい。
【００３８】
もし無線装置４０２が両方向通信の能力を有するならば、それは、通常、通信サブシステム４１１を組み込んでいる。通信サブシステム４１１は、受信機４１２、送信機４１４、および関連した構成要素、たとえば、１つまたは複数の（好ましくは埋め込まれるか内部の）アンテナ要素４１６および４１８、局部発振器（ＬＯ）４１３、および処理モジュール、たとえばディジタル信号プロセッサ（ＤＳＰ）４２０を含む。通信サブシステム４１１は、図１で示された無線モデム１０８およびアンテナ１１０と類似している。通信分野の当業者に明らかであるように、通信サブシステム４１１の特定の設計は、無線装置４０２が動作を意図される通信ネットワークに依存する。
【００３９】
ネットワーク・アクセス要件も、利用されるネットワークのタイプに依存して様々である。たとえば、ＧＰＲＳネットワークにおいて、ネットワーク・アクセスは、無線装置４０２の加入者またはユーザに関連づけられる。したがって、ＧＰＲＳ装置は、ＧＰＲＳネットワーク上で動作するために、通常は「ＳＩＭ」カードと呼ばれる加入者識別モジュール（図示されず）を必要とする。ＳＩＭカードがなければ、ＧＰＲＳ装置は完全には機能しないであろう。（あるとすれば）ローカルまたは非ネットワーク通信機能は動作できるかも知れないが、無線装置６１０は、ネットワークを介する通信に関連する機能を実行することはできないであろう。他方、ＭｏｂｉｔｅｘおよびＤａｔａＴＡＣネットワークでは、そのような無線装置４０２は、各々の無線装置に関連づけられた一意の識別番号を使用してネットワークに登録される。
【００４０】
必要なネットワーク登録または活性化手順が完了したとき、無線装置４０２はネットワークを介して通信信号を送信および受信してよい。ネットワークを介してアンテナ４１６から受信された信号は、受信機４１２へ入力される。受信機４１２は、信号増幅、周波数ダウン変換、フィルタリング、通信路選択など、および図４の例では、アナログ−ディジタル（Ａ／Ｄ）変換のような普通の受信機機能を実行することができる。受信信号のＡ／Ｄ変換によって、より複雑な通信機能、たとえば復調および復号をＤＳＰ４２０で実行することができる。同様に、送信される信号は、ＤＳＰ４２０によって、たとえば変調および符号化などの処理を施される。ＤＳＰで処理されたこれらの信号は、ディジタル−アナログ（Ｄ／Ａ）変換、周波数アップ変換、フィルタリング、増幅、およびアンテナ４１８を介する通信ネットワーク上の送信を行うため、送信機４１４へ入力される。ＤＳＰ４２０は通信信号を処理するだけでなく、受信機および送信機の制御を提供する。たとえば、受信機４１２および送信機４１４で通信信号へ適用された利得は、ＤＳＰ４２０で実現される自動利得制御アルゴリズムを介して適合的に制御されてよい。
【００４１】
無線装置４０２はマイクロプロセッサ４３８を含む。マイクロプロセッサ４３８は、図１のコントローラ１０６の１つの実現形態であり、無線装置４０２の全体的動作を制御する。少なくともデータおよび音声通信を含む通信機能は、通信サブシステム４１１を介して実行される。マイクロプロセッサ４３８は、更に、補助的装置サブシステム、たとえば、ディスプレイ４２２、フラッシュ・メモリ４２４、ランダム・アクセス・メモリ（ＲＡＭ）４２６、補助入力／出力（Ｉ／Ｏ）サブシステム４２８、シリアル・ポート４３０、キーボード４３２、スピーカ４３４、マイクロホン４３６、近距離通信サブシステム４４０、および一般的に４４２で示される他の装置サブシステムと対話する。図４で示されるサブシステムの幾つかは通信関連機能を実行するが、他のサブシステムは「常駐」またはオンデバイス機能を提供する。注意すべきは、幾つかのサブシステム、たとえばキーボード４３２およびディスプレイ４２２は、通信関連機能、たとえば通信ネットワークを介して送信するテキスト・メッセージの入力、およびデバイス常駐機能、たとえば計算機またはタスク・リストの双方に使用されてよいことである。マイクロプロセッサ４３８によって使用されるオペレーティング・システム・ソフトウェアは、好ましくは永続記憶、たとえばフラッシュ・メモリ４２４に記憶される。フラッシュ・メモリ４２４は、代替的に、読み出し専用メモリ（ＲＯＭ）または類似の記憶要素（図示されず）であってよい。当業者は、オペレーティング・システム、特定の装置アプリケーション、またはそれらの一部分が、揮発性記憶、たとえばＲＡＭ４２６へ一時的にロードされてよいことを理解するであろう。受信された通信信号、検出された信号ログ、およびコンタクト・ログの喪失物は、更に、ＲＡＭ４２６へ記憶されてよいことが想定される。
【００４２】
マイクロプロセッサ４３８は、そのオペレーティング・システム機能に加えて、好ましくは、無線装置４０２の上でソフトウェア・アプリケーションの実行を可能にする。基本的装置動作を制御し、少なくともデータおよび音声通信アプリケーション（たとえば、ネットワーク再確立スキーム）を含むアプリケーションの所定のセットが、通常、無線装置４０２の製造中に無線装置４０２にインストールされる。無線装置４０２へロードされる好ましいアプリケーションは、ユーザに関連したデータ項目を組織および管理する能力を有する個人情報管理（ＰＩＭ）アプリケーション、たとえば、ｅメール、カレンダ・イベント、音声メール、アポイントメント、およびタスク項目であってよいが、これらに限定されない。当然のことながら、ＰＩＭデータ項目の記憶を容易にするため、無線装置４０２上で１つまたは複数のメモリ記憶装置を利用することができる。
【００４３】
そのようなＰＩＭアプリケーションは、好ましくは、無線ネットワークを介してデータ項目を送受信する能力を有する。好ましい実施形態において、ＰＩＭデータ項目は、無線ネットワークを介して、ホスト・コンピュータ・システムに記憶および／または関連づけられた無線装置ユーザの対応するデータ項目とシームレスに統合、同期、および更新され、そのような項目に関して無線装置４０２上にミラーリングされたホスト・コンピュータを作り出す。これは、ホスト・コンピュータ・システムが無線装置ユーザのオフィス・コンピュータ・システムである場合に、特に有利である。追加のアプリケーションも、ネットワーク、補助Ｉ／Ｏサブシステム４２８、シリアル・ポート４３０、近距離通信サブシステム４４０、または他の適切なサブシステム４４２を介して無線装置４０２へロードされてよく、ユーザによってＲＡＭ４２６または好ましくは不揮発性記憶（図示されず）にインストールされ、マイクロプロセッサ４３８によって実行されてよい。アプリケーション・インストレーションのような柔軟性は、無線装置４０２の機能を増加させ、向上したオンデバイス機能、通信関連機能、またはこれらの双方を提供する。たとえば、安全な通信アプリケーションは、無線装置４０２を使用した電子商機能および他のそのような金融トランザクションの実行を可能にする。
【００４４】
データ通信モードにおいて、受信された信号、たとえばテキスト・メッセージまたはウェブ・ページ・ダウンロードは、通信サブシステム４１１によって処理され、マイクロプロセッサ４３８へ入力される。マイクロプロセッサ４３８は、好ましくは、信号を更に処理し、ディスプレイ４２２または代替的に補助Ｉ／Ｏ装置４２８へ出力する。無線装置４０２のユーザは、更に、たとえば、ディスプレイ４２２および可能性として補助Ｉ／Ｏ装置４２８と組み合わせてキーボード４３２を使用し、データ項目、たとえばｅメール・メッセージを作る。キーボード４３２は、好ましくは、完全な英数字キーボードおよび／または電話タイプのキーパッドである。これらの作られた項目は、通信サブシステム４１１を介して通信ネットワーク上を送信されてよい。
【００４５】
音声通信の場合、受信された信号がスピーカ４３４へ出力され、送信される信号がマイクロホン４３６によって生成されることを除いて、無線装置４０２の全体的動作は実質的に同じである。代替の音声またはオーディオＩ／Ｏサブシステム、たとえば音声メッセージ記録サブシステムも無線装置４０２で実現されてよい。音声またはオーディオ信号出力は、好ましくは、主にスピーカ４３４を介して達成されるが、幾つかの例を挙げると、音声呼の間に発呼者のアイデンティティ表示または他の音声呼関連情報を提供するため、ディスプレイ４２２も使用されてよい。
【００４６】
図４のシリアル・ポート４３０は、オプションの構成要素であるが、通常、ユーザのデスクトップ・コンピュータとの同期が望まれるパーソナル・ディジタル・アシスタント（ＰＤＡ）型通信装置で実現される。シリアル・ポート４３０は、外部装置またはソフトウェア・アプリケーションを介してユーザに選好を設定させ、また無線通信ネットワークを介さないで情報またはソフトウェア・ダウンロードを無線装置４０２へ提供することによって無線装置４０２の能力を拡張する。直接の、したがって信頼される接続を介して暗号化キーを無線装置４０２へロードし、それによって安全な装置通信を提供するため、たとえば代替のダウンロード・パスを使用してよい。
【００４７】
近距離通信サブシステム４４０は、必ずしも類似の装置である必要はない異なったシステムまたは装置と無線装置４０２との間で通信を提供するオプションの補助構成要素である。たとえば、サブシステム４４０は、赤外線装置および関連回路および構成要素、または同様に能動化されたシステムおよび装置との通信を提供するＢｌｕｅｔｏｏｔｈ（登録商標）通信モジュールを含むことができる。Ｂｌｕｅｔｏｏｔｈ（登録商標）はＢｌｕｅｔｏｏｔｈ  ＳＩＧ社の登録商標である。
【００４８】
図５は、無線通信装置の通信を再確立する１つの方法を記述するフローチャートである。これらの方法は、図１〜図４に関して上記で図示および説明した構成要素の中で使用されてよい。図５は、特に、無線通信装置によって使用される方法に関し、無線通信装置は、無線通信ネットワークに登録されて動作しており、制御通信路上で無線周波（ＲＦ）信号をモニタおよび受信している。
【００４９】
図５のスタート・ブロック５０２から始まって、無線装置は、モニタされている現在のＲＦ周波数または通信路が通信に十分であるかどうかをテストする（ステップ５０４）。このテストは、たとえば、受信された信号強度表示（ＲＳＳＩ）が所定の閾値の上または下にあるかどうかをテストすることによって実行されてよい。たとえば、もしＲＳＳＩが所定の閾値の下にあれば、ＲＦ周波数または通信路は不十分である。ステップ５０４でテストされたとき、もしＲＦ周波数または通信路が十分であれば、無線装置は無線ネットワーク内で正常に動作を続ける。しかし、ステップ５０４でテストされたとき、もしＲＦ周波数または通信路が十分でなければ、無線装置は、通信のために新しいＲＦ周波数または通信路をサーチする第１モードの走査動作へ入る（ステップ５０６）。この第１モードの走査動作において、無線装置は、幾つかの異なったＲＦ周波数または通信路を走査して、利用可能な「最良」信号を識別することができる。
【００５０】
ステップ５０８でテストされたとき、もしそのような新しい信号が即時に発見されなければ、無線装置は、タイムアウトが起こったかどうかをステップ５１０でテストした後で、ステップ５０６で新しいＲＦ周波数または通信路のサーチを続ける。しかし、ステップ５０８でテストされたとき、もし新しい信号が発見されるならば、無線装置は無線ネットワークとの通信を再確立することを即時に試みる（ステップ５１２）。無線装置は、無線装置の存在を無線ネットワークに通知する制御メッセージを送信することによって、ステップ５１２を実行することができる。次に、方法は、ステップ５１２の後でステップ５０４から始まる反復を実行する。
【００５１】
ステップ５１２で送信される制御メッセージは更新メッセージであってよい。更新メッセージは、無線装置によって送信されるメッセージであって、無線装置のステータスをネットワークに通知および／または更新するときの使用に適したメッセージである。もっとも、メッセージは他の異なった目的を有していてもよい。たとえば、更新メッセージは、ＧＰＲＳにおいて、ロケーション区域更新メッセージまたはルーティング区域更新メッセージであってよい。たとえば、ＧＰＲＳにおいて、更新メッセージはロケーション区域更新メッセージまたはルーティング区域更新メッセージであってよい。他の例として、更新メッセージはユーザ・データを送信するメッセージであってよい。このメッセージによって、無線ネットワークは無線装置と無線ネットワークとの間の通信再確立の表示を受信することができる。
【００５２】
もし、ステップ５１０でタイムアウトが起こる前に、新しい信号がステップ５０８で発見されなければ、無線装置は、再び新しい周波数または通信路をサーチする第２モードの走査動作へ入る（ステップ５１４）。ステップ５１６でテストされたとき、もし新しい信号が発見されるならば、前述したように、無線装置は無線ネットワークとの通信を再確立することをステップ５１２で即時に試みる。しかし、もし新しい信号がステップ５１６で即時に発見されなければ、無線装置は、所定時間の間、スリープ・モードの動作へ入る（ステップ５１８）。
【００５３】
スリープ・モードの間、無線装置は、その回路のかなりの部分（たとえば、そのコントローラおよび受信機、またはそれらの一部分）をシャットダウンする。スリープ・モードの所定の時間は、スリープ・モードでないときに無線装置がその受信機およびコントローラを動作可能にする複数の連続受信時間をカバーする。一度、所定の時間が満了すると、回路は再び動作可能にされ、無線装置は再び新しいＲＦ周波数または通信路をサーチする。したがって、第２モードの動作におけるサーチは、無線装置がスリープ・モードの動作から目覚めた後の各々の時点で定期的に実行される。
【００５４】
代替の方法において、無線装置、たとえばセルラ移動局は、セルラ電気通信ネットワーク内で動作し、セルラ電気通信ネットワークからの信号の強度が所定の閾値の下であることを検出する。次に、セルラ移動局は、信号の強度が所定の閾値の下であることを検出したことに応答して、１つまたは複数の追加のセルラ電気通信ネットワークからの信号を走査する。１つまたは複数の追加のネットワークからの信号が依然として通信に不十分である間、セルラ移動局は定期ベースで（たとえば、定期的に）制御メッセージ（たとえば更新メッセージ）を送信する。この制御メッセージは、セルラ移動局の存在をセルラ電気通信ネットワークに通知する。そのような制御メッセージの定期的送信は、短い時間間隔、たとえば２０秒から３分ごとに起こってよい。
【００５５】
図６および図７は、無線通信装置の通信を再確立する他の方法を記述する関連フローチャートである。これらの方法も、図１〜図４に関して上記で図示および説明した構成要素の中で使用されてよい。図６は、特に固定ネットワーク・インフラストラクチャ内で使用される方法に関し、図７は、特に無線通信装置によって使用される関連方法に関する。方法の初期コンテクストを提供するため、無線通信装置は無線通信ネットワークに登録されて、その中で動作する。しかし、動作中の或る時点で、無線装置と無線ネットワークとの間で通信の喪失が起こる。たとえば、無線装置は、無線ネットワークが無線装置からの無線信号をもはや十分に受信できない領域へ移動されるかも知れない。通信喪失は、情報を十分に転送または受信できないように通信を妨げる有害な信号、通信路、または復号条件（または、これらの組み合わせ）を包含するように定義される。
【００５６】
図６のスタート・ブロック６０２から始まって、ネットワークは無線装置に関連づけられた通信喪失の表示を受け取る（ステップ６０４）。実際には、ネットワークは、そのような通信喪失に関連づけられた多数の異なった無線装置について多数のそのような表示を受け取るかも知れない。通信の喪失は、無線装置と無線ネットワークとの間で使用される多数の異なった方法の１つに基づいて決定されてよい。１つの例として、「キープアライブ」メッセージが、所定の時間間隔ごとに無線装置と無線ネットワークとの間で定期的に送られてよい。この場合、ネットワークが所定の時間間隔内にキープアライブ・メッセージを受信することができないときに通信喪失が起こり、ネットワークは通信喪失の表示を受信する結果となる。好ましくは、使用される方法は、短いカバレージ喪失、たとえば短い信号フェージング（たとえば、１から９０秒のオーダー）が無視されるような或るヒステリシスを提供する所定のプロセスである。したがって、非常に短い通信喪失（たとえば、大きな妨害物を通過するか、トンネルまたは地下駐車場を走行するときに経験される喪失）は、通信喪失が経験されている表示をネットワークへトリガする必要はない。
【００５７】
しかし、無線装置の通信喪失の表示が受信されたとき、ネットワークは、無線ネットワーク内の通信喪失に関連づけられた無線通信装置のリストへ無線装置の識別子を追加する（ステップ６０６）。識別子は、無線装置を一意に識別する任意の適切な識別子、たとえば、少数の例を挙げると、移動識別番号（ＭＩＮ）、一時ＭＩＮ（ＴＭＩＮ）、移動加入者識別番号（ＩＭＳＩ）、移動加入者ＩＳＤＮ番号（ＭＳＩＳＤＮ）、またはインターネット・プロトコル（ＩＰ）アドレスであってよい。
【００５８】
通信は、更に、無線ネットワーク内の或る無線通信装置のために再確立されてよい。この場合、ネットワークは、無線装置と無線ネットワークとの間で通信の再確立が行われたことの表示を受け取る（ステップ６０８）。たとえば、もし「キープアライブ」メッセージが、正常および定期的に所定の時間間隔で、無線装置と無線ネットワークとの間で送られていれば、ネットワークは、或る時間間隔の間それらを受け取ることができなくなった後、無線装置から１つのキープアライブ・メッセージを受け取るかも知れない。代替的に、表示は、前述したように、無線装置によって送信される制御メッセージまたは更新メッセージの形式で来るかも知れない。
【００５９】
通信再確立の表示を受信したとき、ネットワークは、通信喪失に関連づけられた無線装置のリストから関連無線装置の識別子を除去する（ステップ６１０）。ネットワークは、更に、リスト上の各々の無線装置について、無線装置に関連づけられたタイマーが時間切れになったかどうかをチェックする（ステップ６１２）。タイマーは、各々の無線装置がリストへ追加されたとき、各々の無線装置について任意の適切な時間量だけ最初に設定されてよい。たとえば或るアプリケーションでは、１０〜１５分のタイマーが適切であろう。もしタイムアウトが無線装置について起こったならば、その無線装置の関連識別子がリストから除去される（ステップ６１４）。ここで無線装置は通信のために利用可能になったから、ネットワークは、更に、この無線装置についてメッセージが係属しているかどうかをチェックし、それらのメッセージを無線装置へ即時に送信する。
【００６０】
次に、ネットワークは、無線ネットワークを介してリストの識別子をブロードキャストする（ステップ６１６）。識別子は、たとえば、ネットワークの制御通信路を介してブロードキャストされてよい。任意の適切な制御通信路および／または制御情報通信手段、たとえば、ブロードキャスト制御通信路（ＢＣＣＨ）、パケット・ブロードキャスト制御通信路（ＰＢＣＣＨ）、ＢＣＣＨおよびＰＢＣＣＨを介して搬送されるシステム情報メッセージ、周期ルート区域更新手順、またはページ要求および応答プロトコルが利用されてよい。
【００６１】
図６の方法は、ステップ６０４でスタートして反復され、通信喪失および再確立の新しい表示が受信され、識別子がリストへ追加および除去される。したがって、リスト上の識別子のブロードキャストは規則的に起こり、好ましくは、ネットワークの中で定期的に（たとえば、９０〜１８０秒ごとに）起こる。
【００６２】
ここで、図６に関連した無線装置方法について図７を参照する。図７のスタート・ブロック７０２から始まって、無線装置と無線ネットワークとの間で通信喪失が起こる（ステップ７０４）。前述したように、通信喪失は、情報が十分に転送または送受信されないように通信を妨害する有害な信号、通信路、または復号条件（または、これらの組み合わせ）を包含するように定義される。この時点で、通信喪失に関連づけられた無線装置のリストへ、この無線装置の識別子を追加するため、図６のステップ６０４および６０６が使用される。
【００６３】
しかし、将来の或る時点で、無線装置と無線ネットワークとの間で通信が再確立される（図７のステップ７０６）。応答として、無線装置は、無線ネットワークの制御通信路に同調し、信号を受信して、無線ネットワークによってブロードキャストされた利用不可能な無線装置のリストの識別子を復号する（ステップ７０８）。このリストは、図６のステップ６１６でブロードキャストされたように、無線ネットワーク内の通信喪失に関連づけられた無線装置識別子のリストである。復号された各々の識別子について、その識別子と、無線装置の識別子との間で比較が行われる（図７のステップ７１０）。
【００６４】
ステップ７１２でテストされたとき、識別子の間でマッチが起こると、無線装置は、無線装置の存在を無線ネットワークに通知する制御メッセージを送信する（ステップ７１４）。前述したように、制御メッセージは、無線装置によって送信される任意のメッセージである更新メッセージであってよく、メッセージが他の異なった目的を有するとしても、無線装置のステータスをネットワークに通知および／または更新するために使用される。たとえば、更新メッセージは、ＧＰＲＳでは、ロケーション更新要求メッセージまたはルーティング区域更新要求メッセージであってよい。他の例として、更新メッセージは、ユーザ・データを送信するメッセージであってよい。このメッセージは、無線装置と無線ネットワークとの間の通信再確立の表示を無線ネットワークに受信させる。
【００６５】
もし、ステップ７１２で、ブロードキャストされた識別子と無線装置識別子との間でマッチが起こらなければ、無線装置は、制御メッセージを無線ネットワークへ送信することを控える。図７の方法は、無線装置と無線ネットワークとの間で他の通信喪失が経験されたときに反復される。
【００６６】
有利には、特に不必要なトラフィックで無線リンクに過度の負担をかけない制御された方法で、通信が無線装置と無線ネットワークとの間で再確立されてよい。無線装置からの制御メッセージは、通常、無線装置の識別子が無線ネットワークによってブロードキャストされなければ、送信される必要はない。もし無線装置が通信喪失を経験し、無線ネットワークによってブロードキャストされたリストの中に無線装置の識別子がないことを発見すれば、無線ネットワークによって、無線装置が利用不可能または喪失されたとは考えられず、したがって無線装置が制御メッセージを送信する理由はない。
【００６７】
図８および図９は、無線通信装置のために通信を再確立する他の方法を記述するフローチャートであって、無線装置と通信するため１つまたは複数のアプリケーション・サーバを使用することに関連するフローチャートである。これらの方法は、図１〜図４に関連して上記で図示および説明した装置およびネットワークを使用するとき使用されてよい。図８は、特に固定ネットワーク・インフラストラクチャ内で使用される方法に関し、図２と組み合わせて参照される。
【００６８】
図８の方法の初期コンテクストを提供するため、無線通信装置は、最初に、無線通信ネットワークに登録され、その中で動作しており、少なくとも１つのアプリケーション・サーバへの、および／またはアプリケーション・サーバからの、データを通信している。しかし、動作中の或る時点で、無線装置と無線ネットワークとの間で通信の喪失が起こる。通信の喪失は、情報を十分に転送または受信できないような通信妨害を生じる有害な信号、通信路、または復号条件（または、これらの組み合わせ）を包含するように定義される。たとえば、無線装置は、無線ネットワークが無線装置からの無線信号をもはや十分に受信できない領域へ移動されるかも知れない。無線装置と無線ネットワークとの間の通信喪失のために、無線装置とアプリケーション・サーバとの間の接続および通信の喪失が起こる。実際には、多数の異なった無線装置が、多数の異なったアプリケーション・サーバと接続して動作しているかも知れない。その場合、時間の経過と共に、多数の接続および通信の喪失が起こるかも知れない。
【００６９】
例として、図２の無線装置１０２は、最初、無線ネットワーク１０４に登録されて、その中で動作しており、接続（たとえば、ＴＣＰ／ＩＰ接続）を介してアプリケーション・サーバ２０４からデータを受信している。時間の経過と共に、無線装置１０２と無線ネットワーク１０４との間で通信の喪失が起こり、無線装置１０２とアプリケーション・サーバ２０４との間の接続が破壊される。ここで説明する方法なしには、アプリケーション・サーバ２０４は、無線装置１０２が利用可能でない間、無線装置１０２へ継続して接続を試みることによって、無線ネットワーク１０４に過度の負担をかけるかも知れない。代替的に、一度、無線装置１０２と無線ネットワーク１０４との間で通信が再確立されると、アプリケーション・サーバ２０４は無線装置１０２との接続を再確立することを自動的に試みるように構成されなくてもよい。
【００７０】
図８のスタート・ブロック８０２から始まって、ネットワーク・サーバは、接続および／またはデータ通信が前に確立または係属していた無線装置の識別子と関連づけてアプリケーション・サーバの識別子のリストを記憶する（ステップ８０４）。たとえば、リストは、データ通信が前に確立されたアプリケーション・サーバ２０４の識別子に関連づけて図２の無線装置１０２の識別子を記憶してよい。このリストは、「チェックイン」リストと呼ばれてよい。使用される識別子は、無線装置およびアプリケーション・サーバを一意に識別する任意の適切な識別子であってよい。無線装置の識別子は、幾つかの例を挙げると、移動識別番号（ＭＩＮ）、一時ＭＩＮ（ＴＭＩＮ）、移動加入者識別番号（ＩＭＳＩ）、移動加入者ＩＳＤＮ番号（ＭＳＩＳＤＮ）、またはインターネット・プロトコル（ＩＰ）アドレスであってよく、アプリケーション・サーバの識別子は、たとえば、アプリケーション・サーバ名であってよい。識別子の各々の関連づけは、無線装置とアプリケーション・サーバとの間の接続の確立または維持の間の或る時点で、リストへ入力または追加されてよい。代替的に、各々の関連づけは、無線装置とアプリケーション・サーバとの間の接続またはデータ通信が切断されるか通信が破壊されたとき、またはその後でのみ、リストへ入力または追加されてよい。
【００７１】
一度、通信が無線装置と無線ネットワークとの間で再確立されると、アプリケーション・サーバと無線装置との間の接続およびデータ通信を再確立するため、無線装置に関連づけられたアプリケーション・サーバの記憶された識別子が使用される（ステップ８０６）。たとえば、ネットワーク・サーバはコンタクト・サーバであってよく、コンタクト・サーバは、アプリケーション・サーバ識別子を使用してアプリケーション・サーバとコンタクトし、アプリケーション・サーバが接続およびデータ通信を再確立できるようにする。他の例として、別個のコンタクト・サーバが、無線装置の識別子を使用してネットワーク・サーバに問い合わせすることによって、アプリケーション・サーバのアイデンティティを要求および受信してよい。この場合、コンタクト・サーバは後でアプリケーション・サーバとコンタクトし、アプリケーション・サーバが接続およびデータ通信を再確立できるようにする。図８で示されるように、方法は継続的に反復され、複数の無線装置が同じようにしてサービスされる。好ましくは、図８の方法および記憶されたリストは、図示されるようにネットワーク内で通信可能に接続された存在サーバ、たとえば図１の存在サーバ１３４の中に維持される。
【００７２】
図９は、図８の方法を、より詳細な好ましい実施形態として記述するフローチャートである。スタート・ブロック９０２から始まって、無線装置と無線ネットワークとの間の通信喪失の表示が受信される（ステップ９０４）。通信喪失に応答して、アプリケーション・サーバの識別子が、接続および／またはデータ通信が確立されたか係属中であった無線装置の識別子と関連づけてリストの中に記憶される（ステップ９０６）。もし無線装置と無線ネットワークとの間の通信再確立の表示が受信されると（ステップ９０８）、アプリケーション・サーバと無線装置との間の接続およびデータ通信を再確立するため、アプリケーション・サーバの識別子が使用される（ステップ９１０）。たとえば、アプリケーション・サーバ・アイデンティティ（たとえば、アプリケーション・サーバ名）を使用してアプリケーション・サーバがコンタクトされ、アプリケーション・サーバは、無線装置との接続を再確立することができる。次に、アプリケーション・サーバおよび無線装置の識別子が、記憶されたリストから除去される（ステップ９１２）。方法は、ステップ９０４から再び始まって継続的に反復される。図９の方法は、ネットワーク内の単一の無線装置について説明されたが、実際には、方法はネットワーク内の複数の無線装置および複数のアプリケーション・サーバとの関連で実行される。好ましくは、図９の方法および記憶されたリストは、図示されたネットワーク内で通信可能に接続される存在サーバ、たとえば図１の存在サーバ１３４の中に維持される。
【００７３】
有利には、図８および図９に関連して説明された方法は、アプリケーション・サーバからの多数の継続接続試行で無線ネットワークに過度の負担をかけることなく、無線装置に通信の自動的再確立を提供する。
【００７４】
図１０は、更に、１つまたは複数のアプリケーション・サーバと無線通信装置との通信を再確立する他の方法である。この方法は、図１〜図４に関連して上記で図示および説明したシステムで使用されてよい。図１０は、特に固定ネットワーク・インフラストラクチャ内で使用される方法に関連し、図２と組み合わせて参照される。
【００７５】
図１０の方法の初期コンテクストを提供するため、無線通信装置は、最初、無線通信ネットワークに登録されて、その中で動作しており、少なくとも１つのアプリケーション・サーバへ、および／またはアプリケーション・サーバから、データを通信している。しかし、動作中の或る時点で、無線装置と無線ネットワークとの間で通信の喪失が起こる。通信の喪失は、情報を十分に転送または受信できないように通信妨害を生じる有害な信号、通信路、または復号条件（または、これらの組み合わせ）を包含するように定義される。たとえば、無線装置は、無線ネットワークが無線装置からの無線信号をもはや十分に受信できない領域へ移動されるかも知れない。無線装置と無線ネットワークとの間の通信喪失のため、無線装置とアプリケーション・サーバとの間の接続および／または通信の喪失が起こる。実際には、多数の異なった無線装置が、多数の異なったアプリケーション・サーバと関連して動作しており、時間の経過と共に、多数の接続または通信の喪失が起こるかも知れない。
【００７６】
例として、図２の無線装置１０２は、最初、無線ネットワーク１０４に登録されて、その中で動作しており、接続（たとえばＴＣＰ／ＩＰ接続）を介してアプリケーション・サーバ２０４からデータを受信している。時間の経過と共に、無線装置１０２と無線ネットワーク１０４との間で通信の喪失が起こり、無線装置１０２とアプリケーション・サーバ２０４との間の接続が破壊される。ここで説明する方法なしには、アプリケーション・サーバ２０４は、無線装置１０２が利用可能でない間に、無線装置１０２への多数の継続接続試行で無線ネットワーク１０４に過度の負担をかけるか、代替的に、アプリケーション・サーバ２０４は、無線装置１０２と無線ネットワーク１０４との間で通信が再確立された後で無線装置１０２との接続を自動的に再確立するように構成されなくてもよい。
【００７７】
図１０のスタート・ブロック１００２から始まって、無線装置と無線ネットワークとの間の通信喪失の後、サーバは、或る時間にわたって、アプリケーション・サーバから無線装置への複数の接続要求を受信する（ステップ１００４）。サーバは、これらの接続要求を受信するが、無線装置と無線ネットワークとの間の通信喪失の間、通過する要求の数またはレートを制限する（ステップ１００６）。サーバは、たとえばレート制限手法またはトラフィック・ポリシング手法を利用して、これを達成することができる。方法は完了してステップ１００４からスタートするが、その無線装置および複数の無線装置の追加の通信喪失について反復される。
【００７８】
レート制限およびトラフィック・ポリシング手法は、現在、トラフィックがサービス・プロバイダのコア・トランスポート・ネットワークに入るときのボリュームおよびレートを管理するために使用される。図１０の現在の応用で明らかであるように、これらの手法は、アプリケーション・サーバからの接続要求が、アプリケーション・サーバと無線装置との間のデータ通信を容易にするネットワークへ入るときのボリュームおよび／またはレートを管理するために使用される。これは、無線装置と無線ネットワークとの間に通信喪失が存在する時間に実行されるとき、特に有利である。
【００７９】
図１１のブロック図において、図２からの幾つかの装置構成要素が示される。それらの構成要素には、アプリケーション・サーバ２０２、無線装置１０２、および基地局１２０が含まれる。更に図１１には、無線ネットワークを通過することを許されるアプリケーション・サーバ２０２からの接続要求の数および／またはレートを制限するサーバ１１０２が示される。サーバ１１０２は、ルータ１１０４を介して、そのような接続要求を受信する。接続要求制限手法は、少なくとも、基地局１０２を含む無線通信ネットワークと無線装置１０２との間に通信喪失が存在する時間の間に実行される。
【００８０】
１つの実施形態において、サーバ１１０２は無線ネットワークのＳＧＳＮの一部分である。代替的に、サーバ１１０２は無線ネットワークのＧＧＳＮの一部分であってよい。更に他の実施形態において、サーバ１１０２は無線ネットワークのＳＧＳＮおよびＧＧＳＮの双方の一部分であってよい。
【００８１】
これらの手法を実行するため、サーバ１１０２は、少なくともキュー１１０６および調整構成要素１１０８を含む。１つの実施形態において、サーバ１１０２はトラフィック形成手法を実行してよい。トラフィック形成手法は、キュー１１０６の冒頭の「シェイパ」（即ち、調整構成要素１１０８）と共にキュー１１０６に接続要素を置くことによって、ネットワーク輻輳の可能性を低減する。そのような手法は、接続要素のフローを平滑化し、ネットワークへ許される要求のレートおよびボリュームを調整する。利用されてよい少なくとも２つの基本的トラフィック形成レート制限手法が存在する。即ち、（１）トラフィック平滑化手法、および（２）長期平均トラフィック・レート形成手法である。
【００８２】
トラフィック平滑化手法は、バーストを除去し、一様な要求ストリームをネットワークへ与え、通常、いわゆる「リーキーバケット」アルゴリズムを使用して実現される。この場合、調整構成要素１１０８は、リーキーバケットキュー・レギュレータと呼ばれてよい。長期平均トラフィック・レート形成手法は、所定サイズのバーストを許可し、バースト調整要求ストリームをネットワークへ与え、通常、いわゆる「トークン・バケット」アルゴリズムを使用して実現される。この場合、調整構成要素１１０８はトークン・バック・キュー・レギュレータと呼ばれてよい。
【００８３】
サーバ１１０２は、代替的に、トラフィック・ポリシング手法を実行することができる。トラフィック・ポリシング手法は、接続要求を検査して、もし接続要求が所定の限度を超過していれば、廃棄するかマークすることを可能にする。トラフィック・ポリシング機能は、前述したトークン・バケット・アルゴリズムを使用する。その場合、キュー１１０６は、接続要求廃棄／マーク機能で置換される。もし、特定の要求が所定の限度内にあることをポリシング機能が決定すると、その要求はネットワークへ入ることを許される。もし、要求が所定の限度の外にあることをポリシング機能が決定すると、要求は即時にドロップされるか（「ハード」ポリシング）、ネットワークへ入ることを許されるが、所定の限度の外にあるものとしてマークされる（「ソフト」ポリシング）。
【００８４】
任意の適当な手段が、図１０〜図１１の手法を提供する助けとなるが、手法は、好ましくは、ネットワーク内のアクセス・ポイント・ネーム（ＡＰＮ）情報と関連して達成される。ＡＰＮは、外部ネットワーク内のアクセス・ポイントを識別する識別子であり、請求目的に使用されてよい。更に具体的には、ＡＰＮは、どのＧＧＳＮを使用するかをＳＧＳＮに通知し、どの外部データ・ネットワークを使用するかをＧＧＳＮに通知するために使用される。典型的なＡＰＮは、２つの部分、即ち（１）ＡＰＮネットワーク識別子、および（２）ＡＰＮオペレータ識別子を含む。ＡＰＮネットワーク識別子は、（たとえば、インターネット上のドメイン名と同じように）アクセスされている外部ネットワークを識別する。ＡＰＮオペレータ識別子はオプションであり、ローミングで使用されるネットワークを識別する。加入者は、ＨＬＲ内でＡＰＮセットを有することができるか、ＰＤＰコンテクストを活性化するときに特定のＡＰＮを要求することができる。
【００８５】
現在の手法に従えば、ＡＰＮ（または関連）フィールドは、各々の加入者のためにアプリケーション・サーバからの接続要求の数またはレートへの制限を伝えるために使用されてよい。この場合、サーバは、ＡＰＮ（または関連）フィールドを使用して、加入者のために接続要求の制限を抽出し、したがって手法を実行する。有利には、図１０〜図１１に関して説明した方法および装置は、アプリケーション・サーバからの多数の継続接続試行で無線ネットワークに過度の負担をかけることなく、通信の再確立を無線装置へ提供する。
最終コメント
したがって、無線装置と無線通信ネットワークとの間の通信喪失の後、無線通信装置のために通信を再確立する幾つかの関連方法および装置が開示された。１つの手法において、方法は、無線装置と無線ネットワークとの間の通信喪失の表示を受信し、通信喪失の表示の受信に基づいて無線ネットワーク内の利用不可能な無線装置のリストへ無線装置の識別子を追加し、無線ネットワーク内でリストの識別子をブロードキャストさせる動作を含む。無線装置において、方法は、通信喪失の後、無線ネットワーク内の利用不可能な無線通信装置のリストのブロードキャストされた識別子を復号し、各々のブロードキャストされた識別子と無線装置の識別子とを比較し、ブロードキャストされた識別子と無線装置の識別子とのマッチに基づいて無線装置の存在を無線ネットワークに通知する制御メッセージを送信する動作を含む。他方では、無線装置は、通常、制御メッセージを無線ネットワークへ送信することを控える。
【００８６】
他の手法において、無線通信ネットワークで動作しているアプリケーション・サーバと無線通信装置との間の接続を再確立する方法は、無線装置の識別子に関連づけてアプリケーション・サーバの識別子を記憶し、無線装置と無線ネットワークとの間の通信喪失の表示を受信し、無線装置と無線ネットワークとの間で通信が再確立された表示を受信し、アプリケーション・サーバおよび無線装置の識別子の記憶された関連づけを提供して、無線装置とアプリケーション・サーバとの間の接続を再確立することを助ける動作を含む。アプリケーション・サーバの識別子は、アプリケーション・サーバにコンタクトして、接続の再確立を助けるために使用されてよい。この方法は、データ記憶メディア、データ記憶メディア上に記憶されたコンピュータ命令、およびコンピュータ・プロセッサを含むサーバによって実行されてよい。コンピュータ・プロセッサは、データ通信が確立されたか係属中であった無線通信装置の識別子に関連づけてアプリケーション・サーバの識別子を記憶し、無線装置と無線通信ネットワークとの間で通信が再確立された後、アプリケーション・サーバと無線通信装置との間の接続を再確立することを助けるようにアプリケーション・サーバの識別子を提供するコンピュータ命令を実行する。
【００８７】
更に他の手法において、無線通信装置とアプリケーション・サーバとの間で通信の再確立を容易にする方法は、無線装置と無線通信ネットワークとの間の通信喪失の後、アプリケーション・サーバから無線装置への複数の接続要求を受信し、無線装置と無線ネットワークとの間の通信喪失の間にアプリケーション・サーバからの接続要求の数またはレートを制限する動作を含む。接続要求の数またはレートは、たとえばレート制限手法またはトラフィック・ポリシング手法を使用して制限されてよい。サーバは、通信の再確立を容易にするために使用されてよく、データ記憶メディア、データ記憶メディア上に記憶されたコンピュータ命令、およびコンピュータ・プロセッサを含んでよい。コンピュータ・プロセッサは、無線装置と無線通信ネットワークとの間の通信喪失の後、アプリケーション・サーバから複数の接続要求を受信し、無線装置と無線ネットワークとの間の無線喪失の間にアプリケーション・サーバからの接続要求の数またはレートを制限するコンピュータ命令を実行する。
【００８８】
更に他の手法において、通信を再確立する方法は、セルラ電気通信ネットワーク内で無線通信装置を作動させ、セルラ電気通信ネットワークからの信号の強度が所定の閾値の下であることを検出し、信号の強度が所定の閾値の下であることを検出したことに基づいて１つまたは複数の追加のセルラ電気通信ネットワークからの信号を走査し、１つまたは複数の追加のセルラ電気通信ネットワークからの信号が通信に不十分である間、セルラ移動局の存在をセルラ電気通信ネットワークに通知する制御メッセージを定期ベースで送信する動作を含む。セルラ移動局は、受信機、送信機、受信機および送信機に結合されたアンテナ、受信機および送信機に結合された１つまたは複数のプロセッサを含み、該１つまたは複数のプロセッサは、セルラ電気通信ネットワークからの信号の強度が所定の閾値の下であることを検出するように動作可能であり、更に前記１つまたは複数のプロセッサは、信号の強度が所定の閾値の下であることを検出したことに基づいて、１つまたは複数の追加のセルラ電気通信ネットワークからの信号を走査するように動作可能であり、更に前記１つまたは複数のプロセッサは、１つまたは複数の追加のセルラ電気通信ネットワークからの信号が通信に不十分である間、セルラ移動局の存在をセルラ電気通信ネットワークに通知する制御メッセージを、送信機を介して定期ベースで送信させるように動作可能である。
【００８９】
最後の他の手法において、無線装置と無線通信ネットワークとの間の通信を再確立するように動作する方法は、無線通信ネットワークとの通信の間に無線通信ネットワークから無線周波（ＲＦ）信号を受信し、ＲＦ信号の強度が通信にもはや十分ではないことを検出し、通信のための新しいＲＦ信号を識別するために走査し、もし新しいＲＦ信号が走査動作によって識別されなければ、通信のための新しいＲＦ信号を識別するために定期的に走査し、もし新しいＲＦ信号が識別されるならば、通信を再確立する制御メッセージを送信する動作を備える。無線通信装置は、無線通信ネットワークとの無線通信の間に無線通信ネットワークから無線周波（ＲＦ）信号を受信する受信機、ＲＦ信号の強度を検出する信号強度検出器、送信機、受信機および送信機へ結合された１つまたは複数のプロセッサを含むことができる。該１つまたは複数のプロセッサは、信号強度検出器に基づいてＲＦ信号が通信にもはや十分でないことを決定し、通信のために新しいＲＦ信号を識別する第１モードの走査へ無線装置を入らせ、もし新しいＲＦ信号が第１モードの走査で識別されなければ、通信のために新しいＲＦ信号を識別する第２モードの定期的走査へ無線装置を入らせ、もし新しいＲＦ信号が識別されるならば、通信を再確立する制御メッセージを送信機に送信させるように動作可能である。
【００９０】
上記で説明した本発明の実施形態は、単なる例として意図される。当業者は、添付の請求項によってのみ限定される本発明の範囲から逸脱することなく、特定の実施形態に対して変更、修正、および変形を行ってよい。
【図面の簡単な説明】
【００９１】
【図１】図１は、無線通信ネットワーク内で通信する無線通信装置を含む通信システムのブロック図である。
【図２】図２は、公衆または専用通信ネットワークを介して１つまたは複数のアプリケーション・サーバとの間でデータを通信するため、無線通信ネットワーク内で動作している無線通信装置を有する無線通信ネットワークを示す。
【図３】図３は、無線通信装置と通信するシステムの具体的構造である。
【図４】図４は、無線通信ネットワーク内で使用される無線通信装置の詳細な例である。
【図５】図５は、無線通信ネットワーク内の通信喪失の後、無線通信装置のために通信を再確立する方法を記述したフローチャートである。
【図６】図６は、無線通信装置のために通信を再確立する他の方法を記述した関連フローチャートである。
【図７】図７は、無線通信装置のために通信を再確立する他の方法を記述した関連フローチャートである。
【図８】図８は、無線通信装置と１つまたは複数のアプリケーション・サーバとの通信を再確立する方法を記述した関連フローチャートである。
【図９】図９は、無線通信装置と１つまたは複数のアプリケーション・サーバとの通信を再確立する方法を記述した関連フローチャートである。
【図１０】図１０は、無線通信装置と１つまたは複数のアプリケーション・サーバとの通信を再確立する他の方法を記述したフローチャートである。
【図１１】図１１は、図１０に関連して説明された方法のためにネットワーク内で使用されるネットワーク・サーバを示す。
【図１】
0004519656.tif 000002
【図２】
0004519656.tif 000003
【図３】
0004519656.tif 000004
【図４】
0004519656.tif 000005
【図５】
0004519656.tif 000006
【図６】
0004519656.tif 000007
【図７】
0004519656.tif 000008
【図８】
0004519656.tif 000009
【図９】
0004519656.tif 000010
【図１０】
0004519656.tif 000011
【図１１】
0004519656.tif 000012